(57)【要約】      （修正有）【課題】高齢者や子供のような指先の力の弱い者でも、容器のキャップを容易に開栓できるように開栓を補助するキャップオープナーを提供する。【解決手段】カード状に形成されたオープナー本体１０に外径の異なる容器のキャップに噛み合う少なくとも２種類の開栓孔３０〜５０を設け、容器のキャップに開栓孔をはめて回動させることで、キャップの開栓を補助する。【選択図】図３
0003227099.tif 000002
【実用新案登録請求の範囲】
【請求項１】
容器のキャップを開栓するためのキャップオープナーにおいて、
カード状に形成されたオープナー本体に、外径の異なるキャップに噛み合う少なくとも２種類の開栓孔を設けた
ことを特徴とするキャップオープナー。
【請求項２】
少なくとも１つの前記開栓孔を、外径の異なる少なくとも２種類の容器のキャップに噛み合うように形成した
ことを特徴とする請求項１に記載のキャップオープナー。
【請求項３】
キャップに噛み合う複数の開栓孔を互いに一部が交わるように形成した
ことを特徴とする請求項１に記載のキャップオープナー。
【請求項４】
前記開栓孔を、交わりがない部分にそれぞれ直径部分を有するように形成した
ことを特徴とする請求項３に記載のキャップオープナー。
【請求項５】
前記オープナー本体の角部にストラップを通すための孔を設けた
ことを特徴とする請求項１、２、３または４に記載のキャップオープナー。
【請求項６】
前記オープナー本体の四隅の１カ所に缶のタブを開くためのタブ開栓部を設けた
ことを特徴とする請求項１、２、３、４または５に記載のキャップオープナー。
【考案の詳細な説明】
【技術分野】
【０００１】
本発明は、容器のキャップの開栓を補助するキャップオープナーに関する。
【背景技術】
【０００２】
従来、高齢者や子供のような指先の力の弱い者が容器のキャップを開栓するときには、開栓を補助するためのキャップオープナーが使用されている。通常、容器のキャップには、複数の山状の凹凸から構成されるすべり止めが形成されている。そのため、この凹凸部分と噛み合うように凹凸が形成されたキャップオープナーとして、外周面と内周面を有するリング状の携帯用キャップオープナーが知られている（例えば、特許文献１参照）。このキャップオープナーの内周面には、開栓しようとするキャップのすべり止めと噛み合う突起部が形成されている。また、外周面には、手で回す際のすべり止めとしてのローレット加工が施されている。このキャップオープナーをキャップに取り付けることで、より小さいモーメントでキャップを開栓することができるようになる。このように、キャップの開栓において、キャップの中心から離れた位置に力を加えられるようにして開栓の補助をする。
【先行技術文献】
【特許文献】
【０００３】
【特許文献１】特許第４５８３４８７号広報
【考案の概要】
【考案が解決しようとする課題】
【０００４】
ところで、前記キャップオープナーは、１種類の直径に形成されたキャップにのみ取り付けることができるものであり、直径の異なる他のキャップに使用することができない。例えば、近年流通しているゼリー飲料用のキャップは、ペットボトル飲料用のキャップと比べて小さく、明らかに外径が異なっている。したがって、ペットボトル飲料用のキャップの開栓用に製造されたキャップオープナーでは、ゼリー飲料用のキャップを開栓することができないという問題点があった。また、前記キャップオープナーは、携帯しやすいように小型に形成されているため、使用時に発見しづらく、容易に取り出すことができないという問題点があった。
【０００５】
本考案は前記問題点に鑑みてなされたものであり、その目的とするところは、キャップの外径が異なる複数種類の容器の開栓を補助することができ、かつ、容易に携帯することのできるキャップオープナーを提供することにある。
【課題を解決するための手段】
【０００６】
本考案は前記目的を達成するために、容器のキャップを開栓するためのキャップオープナーにおいて、カード状に形成されたオープナー本体に、外径の異なるキャップに噛み合う少なくとも２種類の開栓孔を設けている。
これにより、各開栓孔が外径の異なる２つ以上のキャップに対してそれぞれ噛み合うことから、外径の異なる複数種類のキャップの開栓を補助することができる。また、オープナーがカード状に形成されていることから、カードケースや財布に収納することができる。
【考案の効果】
【０００７】
本考案によれば、複数種類のキャップに対応しているので、キャップオープナーを複数用意する必要がなく経済的である。また、カードケースや財布に収納できるので、携帯しやすく、使用時も速やかに出し入れすることができ、利便性を高めることができる。
【図面の簡単な説明】
【０００８】
【図１】本考案の一実施形態に係るキャップオープナーの平面図
【図２】キャップオープナーの斜視図
【図３】キャップオープナーの使用状態を示す図
【考案を実施するための形態】
【０００９】
図１〜３は、本考案の一実施形態を示すもので、例えば、容器のキャップの開栓を補助するカード型キャップオープナーを示すものである
キャップオープナー１は、図１および図２に示すように、オープナー本体１０と、オープナー本体１０に形成された第１〜第４の開栓孔２０〜５０と、ストラップを挿通するためのストラップ孔６０と、缶のタブを開栓するためのタブ開栓部７０とを備えている。また、容器１００は、周知のペットボトルやゼリー飲料用のキャップ付きビニール袋などのものであり、キャップ１１０を備えている。
【００１０】
オープナー本体１０は、例えばプラスチック素材からなり、クレジットカードや運転免許証のようなカード状に形成されている。
【００１１】
第１の開栓孔２０は、ペットボトル飲料用のキャップに噛み合うように円形に形成されている。また、第１の開栓孔２０の内周側面には、周方向に間隔をおいてノコギリ刃状の突起部２１が形成されている。
【００１２】
第２の開栓孔３０は、第１の開栓孔２０と同様に円形に形成されており、開栓孔の直径が第１の開栓孔２０よりも大きくなるように形成されている。また、第２の開栓孔３０の内周側面には、周方向に間隔をおいてノコギリ刃状の突起部３１が形成されている。
【００１３】
第３の開栓孔４０は、略正八角形状に形成されており、第３の開栓孔４０の各辺における内周側面には、ノコギリ刃状の突起部４１が形成されている。
【００１４】
第４の開栓孔５０は、直径の異なる円形の孔５１，５２が２つ交わるように形成されている。各円形の２つの孔は、交わっていない部分に直径を有するように形成されている。第４の開栓孔５０の内周側面には、ノコギリ刃状の突起部５３およびギヤ状の突起部５４が形成されている
ストラップ孔６０は、オープナー本体１０の角部に形成され、ストラップを通すことができるように形成されている。
【００１５】
タブ開栓部７０は、オープナー本体１０のストラップ孔６０が形成されていない他の角部に形成され、タブと缶の間に挿入できるように薄く形成されている。
【００１６】
以上のように構成されたキャップオープナーは、図３に示すように、カード状に形成されたオープナー本体１０に、容器１００のキャップ１１０に噛み合う少なくとも２種類の開栓孔２０〜５０が設けられているので、オープナー本体１０の開栓孔２０〜５０をキャップ１１０にはめてオープナー本体１０を回動することで、キャップ１１０の開栓を補助することができる。
【００１７】
また、キャップオープナー１には、第１〜第４の開栓孔２０〜５０が形成されているので、それぞれの開栓孔２０〜５０に対応する外径のキャップの開栓を補助することができる。
【００１８】
また、本実施形態に係るキャップオープナー１は、カード状に形成されているため、カードケースや財布に収納することができ、使用時に速やかに取り出すことができる利点がある。また、財布等に収納することにより紛失し難いという利点もある。
【００１９】
また、本実施形態に係るキャップオープナー１には、ストラップ孔６０を設けたので、ストラップひもを通すことでつり下げて携帯することもできるという利点がある。
【００２０】
また、第４の開栓孔５０は、孔が交わっていない部分に直径を有する形成したので、キャップ１１０をはめ込んだ孔５３から他方の孔５４へと移動することなくキャップ１１０の開栓を補助することができる。なお、本実施形態では、孔が２つ重なった場合を示しているが、３つ以上交わるようにしてもよい。
【００２１】
また、オープナー本体１０にタブ開栓部７０を設けたので、ボトル状のキャップ１１０の開栓の補助だけでなく、缶の開栓を補助することもできる。
【００２２】
また、本実施形態に係るキャップオープナーは、カード状に形成したものに孔を形成するだけで製造することができるので製造が容易であり、生産性が高いという利点がある。      
【００２３】
また、本実施形態に係るキャップオープナーは、開栓孔の配置やオープナー本体１０の色などを変更することでデザインのバリエーションを多くすることができる。
【００２４】
また、本実施形態に係るキャップオープナーは、全ての開栓孔２０〜５０をいつでも視認することができるため、キャップに対応する開栓孔２０〜５０を容易に選択することができ、高齢者や子供にとっても使いやすいという利点がある。
【符号の説明】
【００２５】
１…キャップオープナー
１０…オープナー本体
２０〜５０…第１〜４の開栓孔
６０…ストラップ孔
７０…タブ開栓部
【図１】
0003227099.tif 000003
【図２】
0003227099.tif 000004
【図３】
0003227099.tif 000005
【手続補正書】
【提出日】令和2年4月24日(2020.4.24)
【手続補正１】
【補正対象書類名】実用新案登録請求の範囲
【補正対象項目名】全文
【補正方法】変更
【補正の内容】
【実用新案登録請求の範囲】
【請求項１】
容器のキャップを開栓するためのキャップオープナーにおいて、
カード状に形成されたオープナー本体に、外径の異なるキャップに噛み合う少なくとも２種類の開栓孔を設けた
ことを特徴とするキャップオープナー。
【請求項２】
外径の異なる少なくとも２種類の容器のキャップに噛み合う複数の開栓孔を互いに一部が交わるように形成した
ことを特徴とする請求項１に記載のキャップオープナー。
【請求項３】
前記開栓孔を、交わりがない部分にそれぞれ直径部分を有するように形成した
ことを特徴とする請求項２に記載のキャップオープナー。
【請求項４】
前記オープナー本体の角部にストラップを通すための孔を設けた
ことを特徴とする請求項１、２または３に記載のキャップオープナー。
【請求項５】
前記オープナー本体の四隅の１カ所に缶のタブを開くためのタブ開栓部を設けた
ことを特徴とする請求項１、２、３または４に記載のキャップオープナー。
【手続補正２】
【補正対象書類名】明細書
【補正対象項目名】全文
【補正方法】変更
【補正の内容】
【考案の詳細な説明】
【技術分野】
【０００１】
本発明は、容器のキャップの開栓を補助するキャップオープナーに関する。
【背景技術】
【０００２】
従来、高齢者や子供のような指先の力の弱い者が容器のキャップを開栓するときには、開栓を補助するためのキャップオープナーが使用されている。通常、容器のキャップには、複数の山状の凹凸から構成されるすべり止めが形成されている。そのため、この凹凸部分と噛み合うように凹凸が形成されたキャップオープナーとして、外周面と内周面を有するリング状の携帯用キャップオープナーが知られている（例えば、特許文献１参照）。このキャップオープナーの内周面には、開栓しようとするキャップのすべり止めと噛み合う突起部が形成されている。また、外周面には、手で回す際のすべり止めとしてのローレット加工が施されている。このキャップオープナーをキャップに取り付けることで、より小さいモーメントでキャップを開栓することができるようになる。このように、キャップの開栓において、キャップの中心から離れた位置に力を加えられるようにして開栓の補助をする。
【先行技術文献】
【特許文献】
【０００３】
【特許文献１】特許第４５８３４８７号公報
【考案の概要】
【考案が解決しようとする課題】
【０００４】
ところで、前記キャップオープナーは、１種類の直径に形成されたキャップにのみ取り付けることができるものであり、直径の異なる他のキャップに使用することができない。例えば、近年流通しているゼリー飲料用のキャップは、ペットボトル飲料用のキャップと比べて小さく、明らかに外径が異なっている。したがって、ペットボトル飲料用のキャップの開栓用に製造されたキャップオープナーでは、ゼリー飲料用のキャップを開栓することができないという問題点があった。また、前記キャップオープナーは、携帯しやすいように小型に形成されているため、使用時に発見しづらく、容易に取り出すことができないという問題点があった。
【０００５】
本考案は前記問題点に鑑みてなされたものであり、その目的とするところは、キャップの外径が異なる複数種類の容器の開栓を補助することができ、かつ、容易に携帯することのできるキャップオープナーを提供することにある。
【課題を解決するための手段】
【０００６】
本考案は前記目的を達成するために、容器のキャップを開栓するためのキャップオープナーにおいて、カード状に形成されたオープナー本体に、外径の異なるキャップに噛み合う少なくとも２種類の開栓孔を設けている。
【０００７】
これにより、各開栓孔が外径の異なる２つ以上のキャップに対してそれぞれ噛み合うことから、外径の異なる複数種類のキャップの開栓を補助することができる。また、オープナーがカード状に形成されていることから、カードケースや財布に収納することができる。
【考案の効果】
【０００８】
本考案によれば、複数種類のキャップに対応しているので、キャップオープナーを複数用意する必要がなく経済的である。また、カードケースや財布に収納できるので、携帯しやすく、使用時も速やかに出し入れすることができ、利便性を高めることができる。
【図面の簡単な説明】
【０００９】
【図１】本考案の一実施形態に係るキャップオープナーの平面図
【図２】キャップオープナーの斜視図
【図３】キャップオープナーの使用状態を示す図
【考案を実施するための形態】
【００１０】
図１〜３は、本考案の一実施形態を示すもので、例えば、容器のキャップの開栓を補助するカード型キャップオープナーを示すものである。
【００１１】
キャップオープナー１は、図１および図２に示すように、オープナー本体１０と、オープナー本体１０に形成された第１〜第４の開栓孔２０〜５０と、ストラップを挿通するためのストラップ孔６０と、缶のタブを開栓するためのタブ開栓部７０とを備えている。また、容器１００は、周知のペットボトルやゼリー飲料用のキャップ付きビニール袋などのものであり、キャップ１１０を備えている。
【００１２】
オープナー本体１０は、例えばプラスチック素材からなり、クレジットカードや運転免許証のようなカード状に形成されている。
【００１３】
第１の開栓孔２０は、ペットボトル飲料用のキャップに噛み合うように円形に形成されている。また、第１の開栓孔２０の内周側面には、周方向に間隔をおいてノコギリ刃状の突起部２１が形成されている。
【００１４】
第２の開栓孔３０は、第１の開栓孔２０と同様に円形に形成されており、開栓孔の直径が第１の開栓孔２０よりも大きくなるように形成されている。また、第２の開栓孔３０の内周側面には、周方向に間隔をおいてノコギリ刃状の突起部３１が形成されている。
【００１５】
第３の開栓孔４０は、略正八角形状に形成されており、第３の開栓孔４０の各辺における内周側面には、ノコギリ刃状の突起部４１が形成されている。
【００１６】
第４の開栓孔５０は、直径の異なる円形の孔５１，５２が２つ交わるように形成されている。各円形の２つの孔５１，５２は、交わっていない部分に直径を有するように形成されている。第４の開栓孔５０の内周側面には、ノコギリ刃状の突起部５３およびギヤ状の突起部５４が形成されている。
【００１７】
ストラップ孔６０は、オープナー本体１０の角部に形成され、ストラップを通すことができるように形成されている。
【００１８】
タブ開栓部７０は、オープナー本体１０のストラップ孔６０が形成されていない他の角部に形成され、タブと缶の間に挿入できるように薄く形成されている。
【００１９】
以上のように構成されたキャップオープナー１は、図３に示すように、カード状に形成されたオープナー本体１０に、容器１００のキャップ１１０に噛み合う少なくとも２種類の開栓孔２０〜５０が設けられているので、オープナー本体１０の開栓孔２０〜５０をキャップ１１０にはめてオープナー本体１０を回動することで、キャップ１１０の開栓を補助することができる。
【００２０】
また、キャップオープナー１には、第１〜第４の開栓孔２０〜５０が形成されているので、それぞれの開栓孔２０〜５０に対応する外径のキャップの開栓を補助することができる。
【００２１】
また、本実施形態に係るキャップオープナー１は、カード状に形成されているため、カードケースや財布に収納することができ、使用時に速やかに取り出すことができる利点がある。また、財布等に収納することにより紛失し難いという利点もある。
【００２２】
また、本実施形態に係るキャップオープナー１には、ストラップ孔６０を設けたので、ストラップひもを通すことでつり下げて携帯することもできるという利点がある。
【００２３】
また、第４の開栓孔５０は、孔５１，５２が交わっていない部分に直径を有するように形成したので、キャップ１１０をはめ込んだ孔５１から他方の孔５２へと移動することなくキャップ１１０の開栓を補助することができる。なお、本実施形態では、孔が２つ重なった場合を示しているが、３つ以上交わるようにしてもよい。
【００２４】
また、オープナー本体１０にタブ開栓部７０を設けたので、ボトル状のキャップ１１０の開栓の補助だけでなく、缶の開栓を補助することもできる。
【００２５】
また、本実施形態に係るキャップオープナーは、カード状に形成したものに孔を形成するだけで製造することができるので製造が容易であり、生産性が高いという利点がある。
【００２６】
また、本実施形態に係るキャップオープナーは、開栓孔の配置やオープナー本体１０の色などを変更することでデザインのバリエーションを多くすることができる。
【００２７】
また、本実施形態に係るキャップオープナーは、全ての開栓孔２０〜５０をいつでも視認することができるため、キャップに対応する開栓孔２０〜５０を容易に選択することができ、高齢者や子供にとっても使いやすいという利点がある。
【符号の説明】
【００２８】
１…キャップオープナー
１０…オープナー本体
２０〜５０…第１〜４の開栓孔
６０…ストラップ孔
７０…タブ開栓部